(57)【要約】【課題】小型化、薄型化、部品点数の削減、組立の容易化を図ることができるスライド式電子部品を提供する。【解決手段】平面方向（Ｂ方向）にスライド移動するスライドつまみ４５と、スライドつまみ４５のスライド方向に設けた押圧部５１に対向して設置され押圧部５１によって押圧されてスライド方向に直交する下方向に移動するスイッチ押圧部材６０と、スライドつまみ４５とスイッチ押圧部材６０とを連結するとともにスライドつまみ４５及びスイッチ押圧部材６０と一体成形にて形成される可撓性を有する湾曲棒からなる連結部材８０と、スイッチ押圧部材６０の下降によってオンオフ操作されるスイッチ１０５とを具備する。【選択図】図３
2010009935.tif 000002
【特許請求の範囲】
【請求項１】
平面方向にスライド移動するスライドつまみと、
前記スライドつまみのスライド方向に設けた押圧部に対向して設置され前記押圧部によって押圧されてスライド方向に交差する方向に移動するスイッチ押圧部材と、
前記スライドつまみとスイッチ押圧部材とを連結するとともにスライドつまみ及びスイッチ押圧部材と一体成形にて形成される可撓性を有する連結部材と、
前記スイッチ押圧部材の移動によってオンオフ操作されるスイッチとを具備し、
前記スライドつまみをスライド移動することでその押圧部がスイッチ押圧部材に設けた被押圧部を押圧してスイッチ押圧部材を前記スライド方向と交差する方向に移動させて前記スイッチをオンオフ操作することを特徴とするスライド式電子部品。
【請求項２】
請求項１に記載のスライド式電子部品において、
前記一体に成形されているスライドつまみとスイッチ押圧部材と連結部材とをケース内に収納し、且つケースの内側壁に前記スイッチ押圧部材の被押圧部の反対側の面を当接しておくことで、このケースの内側壁上をスイッチ押圧部材が摺動しながら前記スライド方向と交差する方向に移動することを特徴とするスライド式電子部品。
【請求項３】
請求項１又は２に記載のスライド式電子部品において、
前記スライドつまみは基部と、基部の上面から突出するつまみ部と、基部から各スライド方向に向けて突出しその先端に押圧部を設けてなる複数の操作杆とを具備して構成され、
また前記連結部材は前記スライドつまみの基部の外周側面の各操作杆の間の部分と、各スイッチ押圧部材の外周側面とを連結する可撓性連結棒によって構成されていることを特徴とするスライド式電子部品。
【請求項４】
請求項３に記載のスライド式電子部品において、
前記スライドつまみのスライド方向は直交する４方向であり、各スライド方向に向けて基部からそれぞれ突出する４つの操作杆が設けられており、また各操作杆の各押圧部に対向する位置にそれぞれ前記スイッチ押圧部材が設置され、また各スイッチ押圧部材が移動する方向に対向する位置に前記スイッチがそれぞれ設置され、
さらに前記スライドつまみの基部の下面に対向する位置にさらに別のスイッチを配置し、このスイッチはスライドつまみを下方向に下降することでオンオフ操作されることを特徴とするスライド式電子部品。
【発明の詳細な説明】
【技術分野】
【０００１】
本発明は、電子機器の入力装置等に用いて好適なスライド式電子部品に関するものである。
【背景技術】
【０００２】
従来、各種携帯機器の入力装置等の中には、操作つまみを平面上で複数方向にスライド移動させることで所望の出力を得るものがある。例えば特許文献１にはこの種のスライド式電子部品が示されており、その図１〜図６に示すスライド式電子部品は、スライドつまみ（３０）とつまみ保持部材（６０）とケース（１０）とスイッチ基板（１００）とを具備し、つまみ保持部（６０）はスライドつまみ（３０）を取り付けるつまみ取付部（６１）とつまみ取付部（６１）を囲む枠体（６３）と枠体（６３）に対してつまみ取付部（６１）が同一面内の多方向にスライド自在となるように連結する可撓性を有するアーム部（６５）とを一体成形して構成され、枠体（６３）中に導電体（７５）を形成したスイッチ押圧部（７３）を設け、一方スライドつまみ（３０）にスライドつまみ（３０）がスライド移動した際にスイッチ押圧部（７３）を押圧してスイッチ押圧部（７３）を下方に移動させる押圧部（３７）を設け、下方に移動するスイッチ押圧部（７３）の導電体（７５）が当接する位置にスイッチ（１０５）を配置する構成となっている。
【０００３】
このスライド式電子部品によれば、従来に比べて部品点数が少なく、構造が簡単で、小型・薄型化が図れ、またスライドつまみ（３０）の中立位置への自動復帰がスムーズに行えるという効果を有する。
【０００４】
しかしながらこの種のスライド式電子部品においては、さらなる小型・薄型化、部品点数の削減、組立の容易化が求められているが、上記構造のスライド式電子部品ではさらなるこれらの要求には答えられないという問題点があった。
【特許文献１】特開２００７−３３５１９０号公報
【発明の開示】
【発明が解決しようとする課題】
【０００５】
本発明は上述の点に鑑みてなされたものでありその目的は、さらなる小型化、薄型化、部品点数の削減、組立の容易化を図ることができ、またスライドつまみのスライド移動によるスイッチのオンオフ操作が確実に行なえるスライド式電子部品を提供することにある。
【課題を解決するための手段】
【０００６】
本願請求項１に記載の発明は、平面方向にスライド移動するスライドつまみと、前記スライドつまみのスライド方向に設けた押圧部に対向して設置され前記押圧部によって押圧されてスライド方向に交差する方向に移動するスイッチ押圧部材と、前記スライドつまみとスイッチ押圧部材とを連結するとともにスライドつまみ及びスイッチ押圧部材と一体成形にて形成される可撓性を有する連結部材と、前記スイッチ押圧部材の移動によってオンオフ操作されるスイッチとを具備し、前記スライドつまみをスライド移動することでその押圧部がスイッチ押圧部材に設けた被押圧部を押圧してスイッチ押圧部材を前記スライド方向と交差する方向に移動させて前記スイッチをオンオフ操作することを特徴とするスライド式電子部品にある。
【０００７】
本願請求項２に記載の発明は、請求項１に記載のスライド式電子部品において、前記一体に成形されているスライドつまみとスイッチ押圧部材と連結部材とをケース内に収納し、且つケースの内側壁に前記スイッチ押圧部材の被押圧部の反対側の面を当接しておくことで、このケースの内側壁上をスイッチ押圧部材が摺動しながら前記スライド方向と交差する方向に移動することを特徴とするスライド式電子部品にある。
【０００８】
本願請求項３に記載の発明は、請求項１又は２に記載のスライド式電子部品において、前記スライドつまみは基部と、基部の上面から突出するつまみ部と、基部から各スライド方向に向けて突出しその先端に押圧部を設けてなる複数の操作杆とを具備して構成され、また前記連結部材は前記スライドつまみの基部の外周側面の各操作杆の間の部分と、各スイッチ押圧部材の外周側面とを連結する可撓性連結棒によって構成されていることを特徴とするスライド式電子部品にある。
【０００９】
本願請求項４に記載の発明は、請求項３に記載のスライド式電子部品において、前記スライドつまみのスライド方向は直交する４方向であり、各スライド方向に向けて基部からそれぞれ突出する４つの操作杆が設けられており、また各操作杆の各押圧部に対向する位置にそれぞれ前記スイッチ押圧部材が設置され、また各スイッチ押圧部材が移動する方向に対向する位置に前記スイッチがそれぞれ設置され、さらに前記スライドつまみの基部の下面に対向する位置にさらに別のスイッチを配置し、このスイッチはスライドつまみを下方向に下降することでオンオフ操作されることを特徴とするスライド式電子部品にある。
【発明の効果】
【００１０】
請求項１に記載の発明によれば、スライドつまみとスイッチ押圧部材と連結部材とを一体成形の１部品で構成したので、部品点数が削減できて組み立てが容易になり、また容易に小型化、薄型化を図ることができる。またスライドつまみの押圧部によってスイッチ押圧部材の被押圧部を押圧することで容易にスイッチ押圧部材をスライドつまみのスライド方向と交差する方向に移動でき容易にスイッチをオンオフ操作することができる。
【００１１】
請求項２に記載の発明によれば、ケースの内側壁にスイッチ押圧部材を当接しているので、スイッチ押圧部材がスライドつまみによって押圧された際は、このケースの内側壁上をスイッチ押圧部材が摺動しながら、つまりケースによってガイドされながらスライドつまみのスライド方向と交差する方向に移動することとなる。従ってスイッチ押圧部材の移動方向にずれが生じることがなくなり、スイッチのオンオフ動作を確実に行えるようになる。またケースの内側壁にスイッチ押圧部材を当接することでこのスイッチ押圧部材がスライドつまみのスライド方向（外方）に移動しないように支持されるので、スライドつまみを移動してスイッチ押圧部材を押圧した際に撓んだ連結部材の弾発力を利用して容易にスライドつまみを元の中立位置に自動復帰させることができる。
【００１２】
請求項３に記載の発明によれば、連結部材が、スライドつまみの基部の外周側面と、各スイッチ押圧部材の外周側面とを連結する構成となっているので、スライドつまみの平面内でのスライド移動が容易且つ正確に行なえる。また厚み方向のスライド式電子部品の薄型化が図れる。
【００１３】
請求項４に記載の発明によれば、平面方向に４方向で上下方向に１方向の、多方向スライド式電子部品を容易に構成することができる。
【発明を実施するための最良の形態】
【００１４】
以下、本発明の実施形態を図面を参照して詳細に説明する。
〔第１実施形態〕
図１は本発明の第１実施形態にかかるスライド式電子部品（以下「多方向スライド式電子部品」という）１−１を示す斜視図、図２はスライド式電子部品１−１の分解斜視図、図３はスライド式電子部品１−１の断面図（図１のＡ−Ａ線断面図）である。図２に示すように多方向スライド式電子部品１−１は、取付部材（以下「取付板」という）１２０上に、スイッチ基板１００と、接着シート９０と、操作体４０と、ケース１０とを取り付けて構成されている。以下各構成部品について説明する。なお以下の説明において、「上」とはスイッチ基板１００から操作体４０側を向く方向をいい、「下」とはその反対側をいうものとする（第２実施形態においても同様）。
【００１５】
ケース１０は金属板（この実施形態ではステンレス板）を下面が開放された略矩形状の箱型に形成することで構成されており、具体的には略矩形状の上面部１１の外周４辺に下方向（垂直下方向）に向かう側壁部１３を設けて構成されている。上面部１１の中央には略十字型に貫通するつまみ挿通ガイド部１５が設けられ、また上面部１１の４辺近傍の中央位置には貫通する矩形状の小孔からなる押圧部材ガイド部１７が設けられている。また対向する一対の側壁部１３の下辺からは下方向に突出する一対ずつの係止片１９が設けられている。
【００１６】
図４，図５は操作体４０を拡大して示す斜視図であり、図４は上側から見た斜視図、図５は下側から見た斜視図である。これらの図に示すように操作体４０は、１つのスライドつまみ４５と４つのスイッチ押圧部材６０と４本の連結部材８０とを一体成形することによって構成されている。操作体４０はこの実施形態ではＰＯＭ樹脂が用いられているが、他の各種合成樹脂（特に熱可塑性の合成樹脂）を用いて構成しても良い。
【００１７】
スライドつまみ４５は、略円板形状の基部４７と、基部４７の上面中央から突出する四角形状のつまみ部４８と、基部４７の外周側面から直交する４方向（下記する各スライド方向Ｂ，Ｃ）に向けて突出しそれらの各先端に押圧部５１を設けてなる４つの操作杆４９とを具備して構成されている。各操作杆４９は突出方向に向かって長尺な平板矩形状（帯状）であり、先端面の押圧部５１は上方向に向かってスイッチ押圧部材６０側に突出していく傾斜面となっている。また基部４７の下面中央には下方向に向かって突出する小突起からなるスイッチ押圧部５３が設けられている。
【００１８】
スイッチ押圧部材６０は略矩形状であって前記スライドつまみ４５のスライド方向Ｂ，Ｃの先端に設けた各押圧部５１に対向する位置（スライド方向Ｂ，Ｃに並ぶ位置）に設置されており、各押圧部５１に対向する面を被押圧部６１とし、被押圧部６１の反対側の面を平面状のケース当接部６３とし、またその上面に上方向に突出する矩形で小突起状のガイド部６５を設け、またその下面の前記被押圧部６１の下側の位置に小突起状のスイッチ押圧部６７を設けて構成されている。前記被押圧部６１はその面が前記押圧部５１の面とほぼ平行になる傾斜面で構成されており、具体的には被押圧部６１は上方向に向かって前記スライドつまみ４５から離れる方向に向かって傾斜する傾斜面となっている。ケース当接部６３は上下方向に垂直な面で構成されている。ガイド部６５は前記ケース１０の押圧部材ガイド部１７にほぼぴったり挿入される寸法形状に形成されており、特にスイッチ押圧部材６０が上下動する際に左右方向（スイッチ押圧部材６０を押圧する操作杆４９のスライド方向Ｂに水平面内で直交する方向）へがたつくのを防止してガイドするものである。
【００１９】
連結部材８０は、スライドつまみ４５の基部４７の外周側面の各操作杆４９の間の部分と、各スイッチ押圧部材６０の外周側面との間を連結する横断面円形の可撓性連結棒によって構成されている。可撓性連結棒の形状は略Ｕ字状であり、その両端間の幅を狭く又は広くするのに好適な可撓性（弾性）を有している。各連結部材８０は隣り合うスイッチ押圧部材６０の間の空間内に位置し、特にこの実施形態では操作杆４９の厚みを含む平面内に位置している。そして前述のように、スライドつまみ４５とスイッチ押圧部材６０は、この連結部材８０によって連結されこれら各部材が一体成形にて形成されている。
【００２０】
なお図示する連結部材８０の形状及び前記スイッチ押圧部材６０の配置位置は、この操作体４０をケース１０内に収納した際の状態を示したものであり、ケース１０に収納する前のフリーの状態の操作体４０においては、連結部材８０となる可撓性連結棒の形状は図示の状態よりもその両端の幅が広がっており（よりＶ字状に近い形状）、これによってスイッチ押圧部材６０は操作杆４９の押圧部５１から同一平面（水平面）内で離れた位置（押圧部５１と被押圧部６１とが上下に重ならない位置）になっている。これは操作体４０を成形する際に、押圧部５１と被押圧部６１とが上下に重なる部分があると、一体成形が困難になるからである。また操作体４０をケース１０に収納した際に各連結部材８０をその両端の幅が狭まるように弾性変形させることになるので、その分各連結部材８０の弾発力が強くなって、スライドつまみ４５を中央位置へ自動復帰させる十分なテンションを印加できるからである。
【００２１】
図２に戻って接着シート９０は可撓性を有する絶縁性の合成樹脂フイルムを略矩形状（スイッチ基板１００とほぼ同一形状）に形成しその下面に接着層を設け、また前記ケース１０の各係止片１９を挿通する４つの挿通孔９１を設けて構成されている。
【００２２】
スイッチ基板１００は、可撓性を有する略矩形状で絶縁性の合成樹脂フイルム（この実施形態ではポリエチレンテレフタレート（ＰＥＴ）フイルム）の表面に所望の回路パターンを形成して構成されており、その上面中央位置（前記スライドつまみ４５のスイッチ押圧部５３に対向する位置）にスイッチ１０３を設け、その周囲を囲む位置（各スイッチ押圧部材６０のスイッチ押圧部６７に対向する位置）に等間隔に４つのスイッチ１０５を設け、また４つのスイッチ１０５の外側位置に前記ケース１０の各係止片１９を挿通する４つの挿通部１０７を設けて構成されている。各スイッチ１０３，１０５は、スイッチ基板１００上に形成した図示しない接点パターン上に弾性金属板製の反転板（この実施形態では可動接点板）１０３ａ，１０５ａを取り付けて構成されている。
【００２３】
取付板１２０は硬質の板部材（この実施形態では金属板を用いているが、合成樹脂板であっても良い）を前記スイッチ基板１００と略同一形状寸法に形成して構成されており、また前記ケース１０の各係止片１９を挿通する４つの挿通係止部１２１（図では２つのみ示す）を設けて構成されている。
【００２４】
次にこの多方向スライド式電子部品１−１を組み立てるには、まず予めスイッチ基板１００上に各反転板１０３ａ，１０５ａを設置した上で接着シート９０を貼り付けて各反転板１０３ａ，１０５ａをスイッチ基板１００上に固定し、各スイッチ１０３，１０５を構成する。一方ケース１０内にその下面側から操作体４０を収納し、その際つまみ部４８をケース１０のつまみ挿通ガイド部１５に挿通し、同時に各スイッチ押圧部材６０のガイド部６５をケース１０の各押圧部材ガイド部１７に挿入する。
【００２５】
そして操作体４０を収納したケース１０の下側に接着シート９０を貼り付けたスイッチ基板１００と取付板１２０とを設置し、その際ケース１０の各係止片１９をそれぞれ接着シート９０の挿通孔９１とスイッチ基板１００の挿通部１０７と取付板１２０の挿通係止部１２１とに挿通し、各係止片１９の先端を取付板１２０の下面に折り曲げる。これによって多方向スライド式電子部品１−１が完成する。
【００２６】
以上のようにして組み立てられた図３に示す多方向スライド式電子部品１−１において、スライドつまみ４５のつまみ部４８を、例えば図３に示す右方向（矢印Ｂ１方向）に押圧すれば、スライドつまみ４５は連結部材８０を撓めながら右方向にスライド移動し、スライド移動した先端側（右側）の押圧部５１がこれに対向する被押圧部６１に当接してこれを押圧し、その際押圧部５１の面と被押圧部６１の面は傾斜面なのでスイッチ押圧部材６０にはこれを前記押圧方向に移動させようとする力が働くとともに下方向に移動させようとする力が働き、且つスイッチ押圧部材６０はその外側のケース当接部６３がケース１０の内側面に当接しているので、結局スイッチ押圧部材６０は下方向のみに移動する。なおこのときスライドつまみ４５の操作杆４９の先端にはこれを上方向に押し上げようとする力が働くが、操作杆４９の上面（この例ではその先端上面から上方向に突出する摺動部４９ａ）はケース１０の上面部１１の下面に当接しているので上方向には移動しない。これによって下降したスイッチ押圧部材６０のスイッチ押圧部６７がこれに対向するスイッチ１０５を押圧してその反転板１０５ａを反転し、クリック感覚を生じながらスイッチ１０５がオンする。前記スライドつまみ４５のスライド方向Ｂ１への押圧を解除すれば、スライドつまみ４５は連結部材８０の弾性復帰力によって中立位置に自動復帰し、同時に連結部材８０の弾性復帰力と反転板１０５ａの弾性復帰力によってスイッチ押圧部材６０は元の位置に上昇し、スイッチ１０５はオフする。スイッチ押圧部材６０の上下動の際、スイッチ押圧部材６０のガイド部６５がケース１０の押圧部材ガイド部１７内を上下動することで前述のようにスイッチ押圧部材６０の左右方向へのがたつきが防止される。
【００２７】
一方スライドつまみ４５が中立位置の状態で、スライドつまみ４５のつまみ部４８を下方向（矢印Ｄ方向）に押圧すれば、スライドつまみ４５は連結部材８０を撓めながら下方向に下降し、そのスイッチ押圧部５３がスイッチ基板１００のスイッチ１０３を押圧してその反転板１０３ａを反転し、クリック感覚を生じながらスイッチ１０３がオンする。前記スライドつまみ４５の押圧を解除すれば、スライドつまみ４５は連結部材８０の弾性復帰力及び反転板１０３ａの弾性復帰力によって元の中立位置に上昇して自動復帰し、スイッチ１０３はオフする。
【００２８】
〔第２実施形態〕
図６は本発明の第２実施形態にかかるスライド式電子部品（以下「多方向スライド式電子部品」という）１−２を示す斜視図、図７はスライド式電子部品１−２の分解斜視図、図８はスライド式電子部品１−２の断面図（図６のＥ−Ｅ線断面図）である。図７に示すように多方向スライド式電子部品１−２は、上面に露出するようにスイッチ基板１００−２を取り付けた取付部材（以下「取付板」という）１２０−２の前記スイッチ基板１００−２上に、スイッチを構成する接点板１１０−２及び反転板１１９−２を取り付け、その上に操作体４０−２と、ケース１０−２とを取り付けて構成されている。以下各構成部品について説明する。
【００２９】
ケース１０−２は金属板（この実施形態ではステンレス板）を下面が開放された略矩形状の箱型に形成することで構成されており、具体的には略矩形状の上面部１１−２の外周４辺に下方向（垂直下方向）に向かう側壁部１３−２を設けて構成されている。上面部１１−２の中央には略十字型に貫通するつまみ挿通ガイド部１５−２が設けられ、また上面部１１−２の４辺近傍の中央位置には貫通する矩形状の小孔からなる押圧部材ガイド部１７−２が設けられている。また各側壁部１３−２の下辺からは下方向に突出する一対ずつの係止片１９−２（図７では手前側の４本のみ示す）が設けられている。
【００３０】
図９，図１０は操作体４０−２を拡大して示す斜視図であり、図９は上側から見た斜視図、図１０は下側から見た斜視図である。これらの図に示すように操作体４０−２は、１つのスライドつまみ４５−２と４つのスイッチ押圧部材６０−２と４本の連結部材８０−２とを一体成形することによって構成されている。操作体４０−２はこの実施形態ではＰＯＭ樹脂が用いられているが、他の各種合成樹脂を用いて構成しても良い。
【００３１】
スライドつまみ４５−２は、略円板形状の基部４７−２と、基部４７−２の上面中央から突出する四角形状のつまみ部４８−２と、基部４７−２の外周側面から直交する４方向（下記する各スライド方向Ｆ，Ｇ）に向けて突出しそれらの各先端に押圧部５１−２を設けてなる４つの操作杆４９−２とを具備して構成されている。各操作杆４９−２は突出方向に向かって長尺な平板矩形状（帯状）であり、先端面の押圧部５１−２は上方向に向かってスイッチ押圧部材６０−２側に突出していく傾斜面となっている。また基部４７−２の下面中央には下方向に向かって突出する球面状の小突起からなるスイッチ押圧部５３−２が設けられている。
【００３２】
スイッチ押圧部材６０−２は略矩形状であって前記スライドつまみ４５−２の各押圧部５１−２に対向する位置（スライド方向Ｆ，Ｇに並ぶ位置）に設置されており、各押圧部５１−２に対向する面を被押圧部６１−２とし、被押圧部６１−２の反対側の面を平面状のケース当接部６３−２とし、またその上面に上方向に突出する矩形で小突起状のガイド部６５−２を設け、またその下面をスイッチ押圧部６７−２として構成されている。前記被押圧部６１−２はその面が前記押圧部５１−２の面とほぼ平行になる傾斜面で構成されており、具体的には被押圧部６１−２は上方向に向かって前記スライドつまみ４５−２から離れる方向に向かって傾斜する傾斜面となっている。ケース当接部６３−２は上下方向に垂直な面で構成されている。ガイド部６５−２は前記第１実施形態のガイド部６５と同様に、ケース１０−２の押圧部材ガイド部１７−２にほぼぴったり挿入される寸法形状に形成されていて、特にスイッチ押圧部材６０−２が上下動する際に左右方向へがたつくのを防止してガイドするものである。
【００３３】
連結部材８０−２は、スライドつまみ４５−２の基部４７−２の外周側面の各操作杆４９−２の間の部分と、各スイッチ押圧部材６０−２の外周側面との間を連結する横断面円形の可撓性連結棒によって構成されている。可撓性連結棒の形状は略Ｕ字状であり、その両端間の幅を狭く又は広くするのに好適な可撓性（弾性）を有している。各連結部材８０−２は隣り合うスイッチ押圧部材６０−２の間の空間内に位置し、特にこの実施形態では操作杆４９−２の厚みを含む平面内に位置している。そして前述のように、スライドつまみ４５−２とスイッチ押圧部材６０−２は、この連結部材８０−２によって連結されこれら各部材が一体成形にて形成されている。
【００３４】
なお図示する連結部材８０−２の形状及び前記スイッチ押圧部材６０−２の配置位置は、この操作体４０−２をケース１０−２内に収納した際の状態を示したものであり、ケース１０−２に収納する前のフリーの状態の操作体４０−２においては、連結部材８０−２となる可撓性連結棒の形状は図示の状態よりもその両端の幅が広がっており（よりＶ字状に近い形状）、これによってスイッチ押圧部材６０−２は操作杆４９−２の押圧部５１−２から同一平面（水平面）内で離れた位置（押圧部５１−２と被押圧部６１−２とが上下に重ならない位置）になっている。その理由は前記第１実施形態で述べた理由と同じである。
【００３５】
図７に戻って接点板１１０−２は弾性金属板を四角形状のリング状に形成して構成されており、その４隅に下方向に球面状に突出する同一形状のアース接点部１１１−２を設け、また４辺のそれぞれ中央に下方向に球面状に突出する同一形状のスイッチ接点部１１３−２を設けて構成されている。各スイッチ接点部１１３−２はアース接点部１１１−２の突出寸法よりも小さい寸法だけ下方向に突出している。反転板１１９−２は弾性金属板を上方向に凸となるようにドーム形状に形成して構成されている。
【００３６】
スイッチ基板１００−２は、可撓性を有する略矩形状で絶縁性の合成樹脂フイルム（この実施形態ではＰＥＴフイルム）の表面に所望の回路パターンを形成して構成されており、その表面中央位置（前記スライドつまみ４５−２のスイッチ押圧部５３−２に対向する位置）にスイッチパターン１０３ａ−２を設け、その周囲を囲む位置にリング状のアースパターン１０３ｂ−２を設け、さらにその周囲を囲む位置（スイッチ押圧部材６０−２のスイッチ押圧部６７−２に対向する位置）に等間隔に４つのスイッチパターン１０５ａ−２を設け、またスイッチ基板１００−２の４隅に４つのアースパターン１０５ｂ−２を設けて構成されている。スイッチ基板１００−２はその外周から帯状の引出部１０９−２を取付板１２０−２の外部に引き出している。引出部１０９−２には前記各スイッチパターン等に接続された図示しない回路パターンを外部に引き出してその電気信号を取り出すための端子パターン１０８−２が形成されている。
【００３７】
取付板１２０−２は合成樹脂（例えばＡＢＳ樹脂）製であり、前記スイッチ基板１００−２をその上面が露出するようにインサート成形して構成されている。取付板１２０−２の外形形状は前記スイッチ基板１００−２を囲む矩形状であり、スイッチ基板１００−２の下面に設置される下面部１２１−２（図８参照）と、スイッチ基板１００−２の外周を囲む側壁部１２３−２とを有し、側壁部１２３−２の内側を前記操作体４０−２等を収納する凹状の収納部１２５−２とし、収納部１２５−２の底面にスイッチ基板１００−２の上面を露出している。またスイッチ基板１００−２上面のアースパターン１０３ｂ−２を囲む位置には、略リング形状の反転板支持部１２７−２が設けられ、中央の凹部が反転板収納部１２９−２となっている。反転板支持部１２７−２はスイッチ基板１００−２に設けた図示しない小孔を通して下側の下面部１２１−２と一体に接続されている。
【００３８】
次にこの多方向スライド式電子部品１−２を組み立てるには、まずケース１０−２内にその下面側から操作体４０−２を収納し、その際つまみ部４８−２をケース１０−２中央のつまみ挿通ガイド部１５−２に挿通し、同時に各スイッチ押圧部材６０−２のガイド部６５−２をケース１０−２の各押圧部材ガイド部１７−２に挿入する。一方取付板１２０−２の収納部１２５−２内に接点板１１０−２を収納する。これによって接点板１１０−２の４つのアース接点部１１１−２がスイッチ基板１００−２のアースパターン１０５ｂ−２上に当接するとともに４つのスイッチ接点部１１３−２がスイッチ基板１００−２のスイッチパターン１０５ａ−２上に所定の離間距離を持って対向する。これによって４つのスイッチ１０５−２（図８参照）が構成される。同時に反転板１１９−２を前記反転板収納部１２９−２内に収納する。これによって反転板１１９−２の外周辺がスイッチ基板１００−２のアースパターン１０３ｂ−２上に当接するとともに反転板１１９−２の中央下面がスイッチパターン１０３ａ−２上に所定の離間距離を持って対向し、これによってスイッチ１０３−２が構成される。そして前記操作体４０−２を収納したケース１０−２の下側に接点板１１０−２等を収納した取付板１２０−２を配置し、その際ケース１０−２の各係止片１９−２をそれぞれ取付板１２０−２の外周を通して取付板１２０−２の下面に折り曲げれば、多方向スライド式電子部品１−２が完成する。
【００３９】
以上のようにして組み立てられた図８に示す多方向スライド式電子部品１−２において、スライドつまみ４５−２のつまみ部４８−２を、例えば図８に示す右方向（矢印Ｆ１方向）に押圧すれば、スライドつまみ４５−２は連結部材８０−２を撓めながら右方向にスライド移動し、スライド移動した先端側（右側）の押圧部５１−２がこれに対向する被押圧部６１−２に当接してこれを押圧し、その際押圧部５１−２の面と被押圧部６１−２の面は傾斜面なのでスイッチ押圧部材６０−２にはこれを前記押圧方向に移動させようとする力が働くとともに下方向に移動させようとする力が働き、且つスイッチ押圧部材６０−２はその外側のケース当接部６３−２がケース１０−２の内側面に当接しているので、結局スイッチ押圧部材６０−２は下方向のみに移動する。このときスライドつまみ４５−２の操作杆４９−２の先端にはこれを上方向に押し上げようとする力が働くが、操作杆４９−２の上面（この例ではその先端上面から上方向に突出する摺動部４９ａ−２）はケース１０−２の上面部１１−２の下面に当接しているので上方向には移動しない。これによって下降したスイッチ押圧部材６０−２のスイッチ押圧部６７−２がこのスイッチ押圧部６７−２に当接（又は接近）している接点板１１０−２のスイッチ接点部１１３−２を押圧してこれを下降し、スイッチ接点部１１３−２の先端をこれに対向するスイッチ基板１００−２のスイッチパターン１０５ａ−２に当接し、これによってこのスイッチ１０５−２をオンする。前記スライドつまみ４５−２のスライド方向への押圧を解除すれば、スライドつまみ４５−２は連結部材８０−２の弾性復帰力によって中立位置に自動復帰し、同時に連結部材８０−２の弾性復帰力と接点板１１０−２の弾性復帰力とによってスイッチ押圧部材６０−２は元の位置に上昇し、スイッチ１０５−２はオフする。スイッチ押圧部材６０−２の上下動の際、スイッチ押圧部材６０−２のガイド部６５−２がケース１０−２の押圧部材ガイド部１７−２内を上下動することで前述のようにスイッチ押圧部材６０−２の左右方向へのがたつきが防止される。
【００４０】
一方スライドつまみ４５−２が中立位置の状態で、スライドつまみ４５−２のつまみ部４８−２を下方向（矢印Ｈ方向）に押圧すれば、スライドつまみ４５−２は連結部材８０−２を撓めながら下方向に下降し、そのスイッチ押圧部５３−２がスイッチ基板１００−２上のスイッチ１０３−２を押圧してその反転板１１９−２を反転してスイッチパターン１０３ａ−２に当接し、クリック感覚を生じながらスイッチ１０３−２がオンする。前記スライドつまみ４５−２の押圧を解除すれば、スライドつまみ４５−２は連結部材８０−２の弾性復帰力及び反転板１１９−２の弾性復帰力によって元の中立位置に上昇して自動復帰し、スイッチ１０３−２はオフする。
【００４１】
この実施形態においてはスイッチ１０５−２のオンオフ時はクリック感覚は生じない。その理由はそのような操作感覚を得たいためであるとともに、反転板を設置しないことで多方向スライド式電子部品１−２の外形寸法を小型化するためである。
【００４２】
以上説明したように、上記各実施形態にかかる多方向スライド式電子部品１−１，１−２は、平面方向（これらの実施形態では平面内の直交する４方向）にスライド移動するスライドつまみ４５，４５−２と、前記スライドつまみ４５，４５−２のスライド方向に設けた押圧部５１，５１−２に対向して設置され前記押圧部５１，５１−２によって押圧されてスライド方向に交差する方向に移動するスイッチ押圧部材６０，６０−２と、前記スライドつまみ４５，４５−２とスイッチ押圧部材６０，６０−２とを連結するとともにスライドつまみ４５，４５−２及びスイッチ押圧部材６０，６０−２と一体成形にて形成される可撓性を有する連結部材８０，８０−２と、前記スイッチ押圧部材６０，６０−２の移動によってオンオフ操作されるスイッチ１０５，１０５−２とを具備し、前記スライドつまみ４５，４５−２をスライド移動することでその押圧部５１，５１−２がスイッチ押圧部材６０，６０−２に設けた被押圧部６１，６１−２を押圧してスイッチ押圧部材６０，６０−２を前記スライド方向と交差する方向に移動させて前記スイッチ１０５，１０５−２をオンオフ操作するように構成されている。そしてこれら実施形態によれば、スライドつまみ４５，４５−２とスイッチ押圧部材６０，６０−２と連結部材８０，８０−２とを一体成形の１部品で構成したので、部品点数が削減できて組み立てが容易になり、また容易に小型化、薄型化が図れる。またスライドつまみ４５，４５−２の押圧部５１，５１−２によってスイッチ押圧部材６０，６０−２の被押圧部６１，６１−２を押圧することで容易にスイッチ押圧部材６０，６０−２をスライドつまみ４５，４５−２のスライド方向と交差する方向に移動でき容易にスイッチ１０５，１０５−２をオンオフ操作することができる。
【００４３】
また多方向スライド式電子部品１−１，１−２は、前記一体に成形されているスライドつまみ４５，４５−２とスイッチ押圧部材６０，６０−２と連結部材８０，８０−２とをケース１０，１０−２内に収納し、且つケース１０，１０−２の内側壁に前記スイッチ押圧部材６０，６０−２の被押圧部６１，６１−２の反対側の面（ケース当接部６３）を当接しておくことで、ケース１０，１０−２の内側壁上をスイッチ押圧部材６０，６０−２が摺動しながら、つまりケース１０，１０−２によってガイドされながらスライドつまみ４５，４５−２の移動方向と交差する方向に移動する構成なので、スイッチ押圧部材６０，６０−２の移動方向にずれが生じることがなくなり、スイッチ１０５，１０５−２のオンオフ動作を確実に行えるようになる。またスイッチ押圧部材６０，６０−２がスライドつまみ４５，４５−２のスライド方向（外方）に移動しないように支持されるので、スライドつまみ４５，４５−２を移動してスイッチ押圧部材６０，６０−２を押圧した際に撓んだ連結部材８０，８０−２の弾発力を利用して容易にスライドつまみ４５，４５−２を元の中立位置に自動復帰させることができる。
【００４４】
また多方向スライド式電子部品１−１，１−２においては、連結部材８０，８０−２を、スライドつまみ４５，４５−２の基部４７，４７−２の外周側面と、各スイッチ押圧部材６０，６０−２の外周側面とを連結する構成としたので、スライドつまみ４５，４５−２の平面内でのスライド移動が容易且つ正確に行なえる。また厚み方向の薄型化が図れる。
【００４５】
なお上記各実施形態で説明した組立手順はその一例であり、他の各種異なる組立手順を用いて組み立てても良いことはいうまでもない。また上記各実施形態ではスライド方向として直線方向を示したが、スライド方向は、円弧方向やその他の曲線方向など、直線方向以外の各種方向を含む概念である。
【００４６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記各実施形態のスイッチ１０３，１０５，１０３−２として反転板を用いたスイッチを構成したが、たとえば２枚の合成樹脂フイルムに形成した一対の接点パターンを所定の隙間を介して対向してなるいわゆるメンブレンスイッチでスイッチを構成しても良い。この場合、反転板を可動接点板として用いる必要がなく、これを省略しても良い。またスイッチ１０５−２については反転板を用いたスイッチで構成しても良いし、またメンブレンスイッチで構成しても良い。
【００４７】
また上記各実施形態ではスライドつまみ４５，４５−２が直交する４方向にスライド移動する構成を示したが、１方向や２方向や５方向等、１以上の方向にスライド移動する構成であれば本発明を適用できる。また上記各実施形態ではスライドつまみ４５，４５−２の押圧部５１，５１−２によって押圧されたスイッチ押圧部材６０，６０−２の移動方向をスライドつまみ４５，４５−２のスライド方向に直交する方向としたが、直交する以外の各種方向としてもよい。またスイッチ押圧部材６０，６０−２の移動方向は下方向のみでなく、上方向でも良い。要はスライド移動方向に交差する方向に移動するのであれば良い。またスライドつまみやスイッチ押圧部材や連結部材の形状・構造に種々の変形が可能であることは言うまでもない。
【００４８】
また上記各実施形態ではスイッチ押圧部材６０，６０−２をケース１０，１０−２の内側壁に当接して支持したが、ケース以外の静止側部材（例えば取付板１２０，１２０−２や取付板１２０，１２０−２に取り付けた他の部材等）に当接して支持しても良い。また上記各実施形態では、押圧部５１，５１−２と被押圧部６１，６１−２の両者を傾斜面としたが、何れか一方のみを傾斜面としても良い。この傾斜面は平面状以外に円弧状等の他の形状であっても良い。
【００４９】
また上記各実施形態では連結部材８０，８０−２を円柱状に構成したが、多角柱形状でも良い。なお多角柱形状にすると、この連結部材が撓み易い方向と撓み難い方向が生じるが、円柱状に形成した場合は連結部材をどの方向（角度）にも撓ませ易くなり、好適である。
【図面の簡単な説明】
【００５０】
【図１】多方向スライド式電子部品１−１を示す斜視図である。
【図２】スライド式電子部品１−１の分解斜視図である。
【図３】スライド式電子部品１−１の断面図（図１のＡ−Ａ線断面図）である。
【図４】操作体４０を拡大して上側から見た斜視図である。
【図５】操作体４０を拡大して下側から見た斜視図である。
【図６】多方向スライド式電子部品１−２を示す斜視図である。
【図７】スライド式電子部品１−２の分解斜視図である。
【図８】スライド式電子部品１−２の断面図（図６のＥ−Ｅ線断面図）である。
【図９】操作体４０−２を拡大して上側から見た斜視図である。
【図１０】操作体４０−２を拡大して下側から見た斜視図である。
【符号の説明】
【００５１】
１−１，１−２  多方向スライド式電子部品（スライド式電子部品）
１０，１０−２  ケース
１１，１１−２  上面部
１３，１３−２  側壁部
４０，４０−２  操作体
４５，４５−２  スライドつまみ
４７，４７−２  基部
４８，４８−２  つまみ部
４９，４９−２  操作杆
５１，５１−２  押圧部
５３，５３−２  スイッチ押圧部
６０，６０−２  スイッチ押圧部材
６１，６１−２  被押圧部
６３，６３−２  ケース当接部
６７，６７−２  スイッチ押圧部
８０，８０−２  連結部材
９０  接着シート
１００，１００−２  スイッチ基板
１０３，１０３−２  スイッチ
１０５，１０５−２  スイッチ
１２０，１２０−２  取付板（取付部材）
１１０−２  接点板
【図１】
2010009935.tif 000003
【図２】
2010009935.tif 000004
【図３】
2010009935.tif 000005
【図４】
2010009935.tif 000006
【図５】
2010009935.tif 000007
【図６】
2010009935.tif 000008
【図７】
2010009935.tif 000009
【図８】
2010009935.tif 000010
【図９】
2010009935.tif 000011
【図１０】
2010009935.tif 000012